(57)【要約】【課題】主に飲料を入れるペットボトル容器において、ボトル本体と蓋に抗菌性を与える。【解決手段】ポリエチレンテレフタレートの成形品のボトル本体１と、ボトル本体１のねじ付き口部３に螺合するキャップ形状の合成樹脂成形品の蓋４とからなる。ボトル本体１は、抗菌剤の銀ゼオライトを練り込んだポリエチレンテレフタレートの吹込成形品であって内面と外面に抗菌性がある。蓋４は、抗菌剤の銀ゼオライトを練り込んだ合成樹脂の射出成形品であって内面と外面に抗菌性がある。【選択図】  図１
2004250032.tif 000002
【特許請求の範囲】
【請求項１】
ポリエチレンテレフタレートの成形品のボトル本体と、ボトル本体のねじ付き口部に螺合するキャップ形状の合成樹脂成形品の蓋とからなるペットボトル容器において、
ボトル本体は、抗菌剤の銀ゼオライトを練り込んだポリエチレンテレフタレートの成形品であって内面と外面に抗菌性があり、
蓋は、抗菌剤の銀ゼオライトを練り込んだ合成樹脂の成形品であって内面と外面に抗菌性があることを特徴とするペットボトル容器。
【請求項２】
ボトル本体は、抗菌剤の銀ゼオライト粉末を混入したポリエチレンテレフタレートの粒状マスターバッチを原料とした吹込成形品であることを特徴とする請求項１に記載のペットボトル容器。
【請求項３】
蓋は、抗菌剤の銀ゼオライト粉末を混入したポリエチレン又はポリプロピレンの粒状マスターバッチを原料とした射出成形品であることを特徴とする請求項１又は２に記載のペットボトル容器。
【発明の詳細な説明】
【０００１】
【発明の属する技術分野】
本発明は、主に飲料を入れるペットボトル容器に関する。
【０００２】
【従来の技術】
果実ジュース、お茶や水などの飲料を入れて販売するペットボトル容器は、ポリエチレンテレフタレート（ＰＥＴ）を吹込成形したボトル本体と、ポリエチレン（ＰＥ）やポリプロピレン（ＰＰ）を射出成形したキャップ形状の蓋とからなる。ＰＥＴのボトル本体は、軽くて強く透明であり、飲料容器として優れている。このボトル本体には、その上端の口部から飲料を充填し、ボトル本体のねじ付き口部に蓋を螺合し、飲料を密封して無菌状態に保持する。
【０００３】
飲料を封入したペットボトル容器は、ボトル本体のねじ付き口部から蓋を取り外して開封し、ボトル本体のねじ付き口部を飲む人が口でくわえて、ボトル本体を傾け、ボトル本体の飲料を飲む。飲み干して空になると、ボトル本体と蓋は、分別して廃棄する。廃棄されたボトル本体は、破砕して洗浄し、原料として再利用する。
【０００４】
飲料のペットボトル容器は、飲料の飲み残しがあると、ボトル本体のねじ付き口部に蓋を螺合して保存する。その後、開封して飲料の飲み残しを飲む。
【０００５】
飲料の飲み残しを飲む際に衛生的にするため、特許文献１に開示されているように、ボトル本体の口部に、抗菌性のある酸化チタン光触媒の粉末を付着することが考えられた。
【０００６】
【特許文献１】
特開２００１−１１４３５０号公報
【０００７】
【発明が解決しようとする課題】
ペットボトル容器は、ボトル本体と蓋に抗菌性がないので、開封後は衛生的とは言い難い。
【０００８】
抗菌性のないペットボトル容器は、飲用後の洗浄に手間が掛る。飲用後に回収して洗浄し、ペットボトル容器として再利用することは行われていない。牛乳、日本酒やビールのガラス瓶とは異なり、何度も洗って使用するリターナブル瓶ではない。家庭においても、飲用後のペットボトル容器を洗って飲料の容器として再利用することはあまり行われていないようである。廃棄物を増加させている。
【０００９】
また、ペットボトル容器は、飲料の飲み残しを飲む際、開封後の経過時間が長いと、雑菌が繁殖しているおそれがある。不衛生である。
【００１０】
特許文献１に開示のペットボトル容器において、抗菌剤として使用する光触媒は、所定の特性の光が当らないと、抗菌作用を発揮しない。ボトル本体の口部は、キャップ形状の不透明な蓋で覆われるので、ボトル本体の口部に付着した光触媒は、光が当り難く、抗菌作用を発揮し難い。ボトル本体の口部に付着した酸化チタン光触媒の粉末は、脱落し易い。
【００１１】
ＰＥＴのボトル本体は、抗菌性を与えたために、軽くて強く透明である等の特性が失われてしまっては、飲料容器としての優位性がなくなる。
【００１２】
【課題を解決するための着眼】
抗菌剤の銀ゼオライト粉末を練り込んだポリエチレン又はポリプロピレンの抗菌性の成形品は、知られている。しかし、抗菌剤の銀ゼオライト粉末を練り込んだポリエチレンテレフタレートの抗菌性の成形品は、知られていない。
【００１３】
そこで、抗菌剤の銀ゼオライト粉末を混入したポリエチレンテレフタレートの粒状マスターバッチを作製し、この粒状マスターバッチを原料として吹込成形品のボトル本体を作製してみた。すると、軽くて強く透明である等の特性を備えた抗菌性のボトル本体が得られることが判った。
【００１４】
【課題を解決するための手段】
１）ポリエチレンテレフタレートの成形品のボトル本体と、ボトル本体のねじ付き口部に螺合するキャップ形状の合成樹脂成形品の蓋とからなるペットボトル容器において、
ボトル本体は、抗菌剤の銀ゼオライトを練り込んだポリエチレンテレフタレートの成形品であって内面と外面に抗菌性があり、
蓋は、抗菌剤の銀ゼオライトを練り込んだ合成樹脂の成形品であって内面と外面に抗菌性があることを特徴とする。
【００１５】
２）上記のペットボトル容器において、
ボトル本体は、抗菌剤の銀ゼオライト粉末を混入したポリエチレンテレフタレートの粒状マスターバッチを原料とした吹込成形品であることを特徴とする。
【００１６】
３）上記のペットボトル容器において、
蓋は、抗菌剤の銀ゼオライト粉末を混入したポリエチレン又はポリプロピレンの粒状マスターバッチを原料とした射出成形品であることを特徴とする。
【００１７】
【発明の効果】
本発明のペットボトル容器は、ボトル本体と蓋に抗菌性があるので、開封後も衛生的である。飲料の飲み残しを飲む際にも衛生的である。
【００１８】
このペットボトル容器は、飲用後の洗浄が簡単である。洗浄してペットボトル容器として再使用することができる。
【００１９】
抗菌剤の銀ゼオライトは、光触媒とは異なり、光が当らない暗い所でも、抗菌性がある。ボトル本体の口部は、蓋で覆われても、抗菌性がある。また、抗菌剤の銀ゼオライトは、ポリエチレンテレフタレート又は合成樹脂に練り込まれていて、脱落し難い。
【００２０】
【発明の実施の形態】
ペットボトル容器は、図１に示すように、ポリエチレンテレフタレートの吹込成形品のボトル本体１と、ポリエチレン又はポリプロピレンの射出成形品の蓋４とからなる。そのポリエチレンテレフタレートとポリエチレン又はポリプロピレンは、それぞれ、抗菌剤の銀ゼオライト粉末を練り込んでいる。ボトル本体１と蓋４は、それぞれ、内面と外面、全面に抗菌性がある。
【００２１】
ボトル本体１は、胴体部２を形成し、胴体部２の上端に口部３を形成し、口部３の外周面にねじを形成している。胴体部２は、底のある円筒形状であり、手で掴むのに適した寸法である。口部３は、円筒形状であり、口でくわえるのに適した寸法である。このボトル本体１は、飲料容器として軽くて強く、薄肉構造の胴体部２が透明である。
【００２２】
蓋４は、キャップ形状に形成し、内周面にねじを形成している。蓋４は、ボトル本体１の口部３に螺合し、口部３の上端開口を閉鎖する。
【００２３】
ボトル本体１の製造方法は、抗菌剤の銀ゼオライト粉末を混入したポリエチレンテレフタレートの粒状マスターバッチを作製し、この粒状マスターバッチを原料として予備成形体を形成し、この予備成形体を２分割の金型を用いて吹込成形する。
【００２４】
蓋４の製造方法は、抗菌剤の銀ゼオライト粉末を混入したポリエチレン又はポリプロピレンの粒状マスターバッチを作製し、この粒状マスターバッチを原料として射出成形する。
【００２５】
銀ゼオライトは、抗菌金属の銀を担持体の多孔質合成ゼオライトにイオン交換で保持した無機抗菌剤である。銀ゼオライト粉末の混合割合は、２０〜２５重量％である。
【００２６】
このペットボトル容器は、ボトル本体１に口部３から飲料を充填し、ねじ付き口部３に蓋４を螺合し、飲料を密封して無菌状態に保持する。飲料を飲むときには、ねじ付き口部３から蓋４を取り外して開封し、ねじ付き口部３を飲む人が口でくわえて、ボトル本体１を傾け、ボトル本体１の飲料を飲む。飲料の飲み残しがあると、ねじ付き口部３に蓋４を螺合して飲み残しを保存する。その後、開封して飲料の飲み残しを飲む。飲み干して空になったボトル本体１と蓋４は、洗浄してペットボトル容器として再使用することができる。
【図面の簡単な説明】
【図１】本発明の実施形態におけるペットボトル容器の縦断端面図。
【符号の説明】
１  ボトル本体
２  ボトル本体の胴体部
３  ボトル本体のねじ付き口部
４  キャップ形状の蓋
【図１】
2004250032.tif 000003